(57)【要約】    【課題】  ＰＣ等において文書や図面等の印刷データを印刷する際に、ユーザが目的とする印刷処理に対応する印刷条件を容易に設定する。    【解決手段】    印刷システムで文書等を印刷するに際してユーザが設定した印刷条件に従って印刷処理を実行する印刷制御方法において、印刷カテゴリの選択画面を表示し、その選択画面においてユーザにより選択された印刷カテゴリの情報を取得するステップと、ユーザにより選択された印刷カテゴリの情報に従って、当該印刷カテゴリに対応する印刷設定項目のみからなる印刷条件の設定画面を表示し、その設定画面においてユーザにより設定された印刷設定項目の情報を取得するステップと、ユーザにより設定された印刷設定項目の情報に基づき印刷処理を実行するステップとを有する構成とする。【選択図】    図１６
2005310029.tif 000002
【特許請求の範囲】
【請求項１】
ユーザが設定した印刷条件に従って印刷システムで印刷処理を実行する印刷制御方法であって、
印刷カテゴリの選択画面を表示し、その選択画面においてユーザにより選択された印刷カテゴリの情報を取得するステップと、
前記ユーザにより選択された印刷カテゴリの情報に従って、当該印刷カテゴリに対応する印刷設定項目のみからなる印刷条件の設定画面を表示し、その設定画面においてユーザにより設定された印刷設定項目の情報を取得するステップと、
前記ユーザにより設定された印刷設定項目の情報に基づき印刷処理を実行するステップとを有することを特徴とする印刷制御方法。
【請求項２】
前記印刷カテゴリの情報を取得するステップは、標準的な印刷条件の設定画面に設けられた操作ボタンをユーザが操作した場合に、前記印刷カテゴリの選択画面をポップアップ表示するステップを含むことを特徴とする請求項１に記載の印刷制御方法。
【請求項３】
前記印刷カテゴリの情報を取得するステップは、印刷コストの節減、印刷物の製本、印刷情報の機密保護、及び印刷条件の簡易設定に関する印刷カテゴリのうちの少なくとも１つを、前記印刷カテゴリの選択画面に選択肢として表示するステップを含むことを特徴とする請求項１または請求項２に記載の印刷制御方法。
【請求項４】
ユーザが設定した印刷条件に従って印刷システムで印刷処理を実行する印刷制御プログラムであって、
印刷カテゴリの選択画面を表示し、その選択画面においてユーザにより選択された印刷カテゴリの情報を取得するステップと、
前記ユーザにより選択された印刷カテゴリの情報に従って、当該印刷カテゴリに対応する印刷設定項目のみからなる印刷条件の設定画面を表示し、その設定画面においてユーザにより設定された印刷設定項目の情報を取得するステップと、
前記ユーザにより設定された印刷設定項目の情報に基づき印刷処理を実行するステップとを有することを特徴とする印刷制御プログラム。
【請求項５】
前記印刷カテゴリの情報を取得するステップは、標準的な印刷条件の設定画面に設けられた操作ボタンをユーザが操作した場合に、前記印刷カテゴリの選択画面をポップアップ表示するステップを含むことを特徴とする請求項４に記載の印刷制御プログラム。
【請求項６】
前記印刷カテゴリの情報を取得するステップは、印刷コストの節減、印刷物の製本、印刷情報の機密保護、及び印刷条件の簡易設定に関する印刷カテゴリのうちの少なくとも１つを、前記印刷カテゴリの選択画面に選択肢として表示するステップを含むことを特徴とする請求項４または請求項５に記載の印刷制御プログラム。
【発明の詳細な説明】
【技術分野】
【０００１】
本発明は、本発明は、ＰＣ等のアプリケーションプログラムで作成された文書等についての印刷要求に対して最適な印刷処理を可能にする印刷制御方法および印刷制御プログラムに関するものである。
【背景技術】
【０００２】
従来、ＰＣ等において文書や図面等を印刷する際には、その文書データや図面データ等を作成したアプリケーション、印刷目的、及びユーザの嗜好等に応じてプリンタドライバ等により複数の印刷条件を適宜設定するのが一般的である。例えば、アプリケーションプログラムからの印刷要求に応じて、最適な動作モードを自動的に決定して印刷処理を行う印刷制御方法において、印刷処理に対する印刷速度あるいは印刷結果の品質に対する評価をユーザに問い合わせして回答結果を得て、後の印刷要求に応じて印刷処理を行う際に、ユーザから得た回答結果に基づいて動作モードを決定して、印刷条件の自動選択にユーザの意向を反映させる技術が知られている（例えば、特許文献１参照。）。
【特許文献１】特開平２００２−２２２０７０号
【発明の開示】
【発明が解決しようとする課題】
【０００３】
しかしながら、上記従来の技術は、毎回の印刷処理に対する印刷速度あるいは印刷結果の品質に対するユーザの回答結果を後の印刷処理に反映させるものであり、ユーザの印刷目的に関連する他の印刷条件については、依然として、ユーザがプリンタドライバの設定画面（プリンタのプロパティ画面）にて詳細な設定を行う必要があった。例えば、印刷条件の設定画面における印刷品質タブにおいては、印刷目的の指定が可能となっているが、これは印刷品質に限っての設定であり、実際にユーザが目的とする印刷を実行するためには、他のタブから必要な印刷条件を探し出し、別途更に詳細な設定を強いられる場合があった。
【０００４】
本発明は、このような知見に基づいてなされたものであり、ＰＣ等のデータ処理装置において文書や図面等を印刷する際に、ユーザが目的とする印刷処理に対応する印刷条件を容易に設定することが可能な印刷制御方法および印刷制御プログラムを提供することを目的とする。
【課題を解決するための手段】
【０００５】
このような課題を解決するために、本発明の印刷制御方法は、請求項１に示すとおり、ユーザが設定した印刷条件に従って印刷システムで印刷処理を実行する印刷制御方法であって、印刷カテゴリの選択画面を表示し、その選択画面においてユーザにより選択された印刷カテゴリの情報を取得するステップと、ユーザにより選択された印刷カテゴリの情報に従って、当該印刷カテゴリに対応する印刷設定項目のみからなる印刷条件の設定画面を表示し、その設定画面においてユーザにより設定された印刷設定項目の情報を取得するステップと、ユーザにより設定された印刷設定項目の情報に基づき印刷処理を実行するステップとを有する構成とする。
【０００６】
これによると、ユーザが目的とする印刷処理に対応する印刷設定項目のみが印刷条件の設定画面に表示されるので、ユーザが設定を必要とする印刷条件を多数の印刷設定項目の中から適宜探し出す作業は不要であり、ユーザが目的とする印刷処理を迅速かつ容易に実行することができる。
【０００７】
また、請求項２に示すとおり、印刷カテゴリの情報を取得するステップは、標準的な印刷条件の設定画面に設けられた操作ボタンをユーザが操作した場合に、印刷カテゴリの選択画面をポップアップ表示するステップを含む構成とすることができる。
【０００８】
これにより、ユーザは、標準的な印刷条件の設定画面から印刷カテゴリの選択を容易に行なうことができる。この場合、例えば、プリンタドライバの印刷設定画面（プリンタのプロパティ画面）に操作ボタンを設け、ユーザが当該操作ボタンをマウスクリック等により操作したときに、印刷カテゴリ選択画面をポップアップ表示させることができる。
【０００９】
また、請求項３に示すとおり、印刷カテゴリの情報を取得するステップは、印刷コストの節減、印刷物の製本、印刷情報の機密保護、及び印刷条件の簡易設定に関する印刷カテゴリのうちの少なくとも１つを、印刷カテゴリの選択画面に選択肢として表示するステップを含む構成とすることができる。
【００１０】
これにより、ユーザは、比較的利用頻度の高い印刷カテゴリを選択可能であるとともに、ユーザが意図する印刷条件の設定を極めて簡単に実行することができる。
【００１１】
更に、本発明の印刷制御プログラムは、請求項４に示すとおり、ユーザが設定した印刷条件に従って印刷システムで印刷処理を実行する印刷制御プログラムであって、印刷カテゴリの選択画面を表示し、その選択画面においてユーザにより選択された印刷カテゴリの情報を取得するステップと、ユーザにより選択された印刷カテゴリの情報に従って、当該印刷カテゴリに対応する印刷設定項目のみからなる印刷条件の設定画面を表示し、その設定画面においてユーザにより設定された印刷設定項目の情報を取得するステップと、ユーザにより設定された印刷設定項目の情報に基づき印刷処理を実行するステップとを有する構成とする。
【００１２】
また、請求項５に示すとおり、印刷カテゴリの情報を取得するステップは、標準的な印刷条件の設定画面に設けられた操作ボタンをユーザが操作した場合に、印刷カテゴリの選択画面をポップアップ表示するステップを含む構成とすることができる。
【００１３】
また、請求項６に示すとおり、印刷カテゴリの情報を取得するステップは、印刷コストの節減、印刷物の製本、印刷情報の機密保護、及び印刷条件の簡易設定に関する印刷カテゴリのうちの少なくとも１つを、印刷カテゴリの選択画面に選択肢として表示するステップを含む構成とすることができる。
【発明の効果】
【００１４】
このように本発明によれば、ＰＣ等のデータ処理装置において文書や図面等の印刷データを印刷する際に、ユーザが目的とする印刷処理に対応する印刷条件を容易に設定することが可能となる。
【発明を実施するための最良の形態】
【００１５】
以下、本発明の実施の形態を、図面を参照しながら説明する。
【００１６】
図１は、本発明の印刷制御方法を適用した印刷システムの概略構成を示すブロック図である。この印刷システムは、データ処理装置としてのＰＣ(Personal Computer)１と、そのＰＣ１にＬＡＮ（Local Area Network）２を介して接続されたプリンタ３とから構成される。
【００１７】
ＰＣ（データ処理装置）１は、種々のプログラムを用いて処理を行なうとともに周辺機器を統括制御するＣＰＵ（中央処理装置）１１と、アプリケーションプログラムやプリンタドライバ等の各種プログラム及び印刷対象となる文書データ等の各種データを記憶するハードディスク（補助記憶装置）１２と、プログラムやデータ等を一時的に記憶するＲＡＭ（主メモリ）１３と、プログラム等を記憶したＲＯＭ（読出し専用メモリ）１４と、文書や画像等を表示するためのディスプレイ（表示装置）１５と、ユーザが文字等の入力操作を行なうためのキーボード（入力装置）１６と、ＰＣ１をＬＡＮと接続するためのネットワークカード（通信インタフェース）１７とを有する。
【００１８】
また、プリンタ３は、各種制御プログラムに従ってプリンタ各部を制御するＣＰＵ２１と、印刷データ等を一時的に記憶するＲＡＭ２２と、制御プログラム等を記憶したＲＯＭ２３と、印刷処理に用いるフォント情報等を記憶した情報メモリ２４と、ＲＡＭに記憶された印刷データの印刷を実行するプリンタコントローラ２５と、ＰＣ１との印刷データの送受信を行なうネットワークコントローラ２６とを有する。
【００１９】
上記構成のＰＣ１は、プリンタ３をコントロールするためのプリンタドライバ（印刷制御プログラム）を用いて、所定のアプリケーションプログラムにより作成した文書や図面等の印刷処理を実行する。プリンタドライバは、ＲＡＭ１３に読み込んだプリンタドライバのプログラムをＣＰＵ１１が実行することによりＰＣ１上に構築され、ユーザからの印刷指示に従って、アプリケーションプログラムが作成した文書データ等を読み込んでプリンタ３に対応する形式の印刷データに変換し、ＬＡＮ２を介してプリンタ３に送信する機能を有している。ユーザは、文書や図面等を印刷する際に、プリンタドライバによる印刷条件の設定画面をディスプレイ１５に表示させ、その設定画面において、ユーザの印刷目的に応じて印刷カテゴリを選択し、その選択した印刷カテゴリに対応する所定の印刷設定項目のみを適宜設定した後、その設定内容に従ってプリンタ３に印刷処理を実行させることができる。以下、本発明におけるプリンタドライバによる印刷条件の設定画面の詳細について図２〜図１５を参照して説明する。
【００２０】
図２は、標準的な印刷条件の設定画面を示す図である。ここで、標準的な印刷条件の設定画面とは、ユーザが印刷条件として設定可能な全ての印刷設定項目が表示される通常の設定画面である。本実施の形態では、標準的な印刷条件の設定画面の一例として、複数の印刷設定項目がグループ分けされ、各タブ毎に表示される構成をなす印刷設定ウィンドウ３０を示す。
【００２１】
この印刷設定ウィンドウ３には、用紙サイズや部数等について設定する給紙タブ３１、ソート処理の有無等の排紙条件について設定する排紙タブ３２、カラー／モノクロの別や画質等について設定する印刷品質タブ３３、フォントの種類等について+設定するフォントタブ３４、透かし印刷について設定するウォータマークタブ３５、オーバーレイ印刷について設定するオーバーレイタブ３６、及び印刷情報の機密保護について設定するセキュリティタブ３７が設けられている。図２は、給紙タブ３１が選択された状態を示しており、条件設定フィールド３８には、原稿の「用紙サイズ」（「Ａ４」を選択）、「部数」（「１部」を選択）、「印刷の向き」（「ポートレート」を選択）、「出力用紙サイズ」（「Ａ４」を選択）、「ズーム」（「１００％」を選択）、「用紙種別」（「普通紙」を選択）、及び「給紙方法」（「自動カセット選択」を選択）といった給紙関連の全ての印刷設定項目が示されている。
【００２２】
また、印刷設定ウィンドウ３０には、カテゴリ表示ボタン３９が設けられており、ユーザがボタン３９を押すと、図３に示すような複数の印刷カテゴリを表示するカテゴリ選択ウィンドウ５０がポップアップ表示される。ここでは、カテゴリ選択ウィンドウ５０にユーザの利用頻度が比較的高いと考えられる４つの印刷カテゴリ５１（印刷コストの節減を目的とする「エコロジー」、印刷物の製本を目的とする「製本」、印刷情報の機密保護を目的とする「セキュリティ」、及び印刷条件の簡易設定を目的とする「シンプル」）を表示した例が示されている。ユーザが、何れかの印刷カテゴリを選択し、「ＯＫ」ボタン５２を押すことで、図４〜図１５に示すように、その選択された印刷カテゴリに対応する対応する印刷設定項目のみからなる印刷条件の設定画面がディスプレイ１５に表示されることになる。
【００２３】
図４〜図６は、印刷カテゴリとして「エコロジー」を選択した場合のプリンタドライバによる印刷条件の設定画面を示す図である。この場合、印刷条件の設定画面である印刷設定ウィンドウ６０には、印刷カテゴリ「エコロジー」に関連する給紙タブ、排紙タブ、及び印刷品質タブのみが表示される。
【００２４】
図４に示すように、印刷設定ウィンドウ６０において給紙タブが選択された場合には、条件設定フィールド６１には、図２に示した印刷設定ウィンドウ３８の場合とは異なり、「用紙サイズ」（「Ａ４」を選択）及び「印刷の向き」（「ポートレート」を選択）といった印刷カテゴリ「エコロジー」に対応する印刷設定項目のみが示される。また、図５に示すように、印刷設定ウィンドウ６０において排紙タブが選択された場合には、条件設定フィールド６２には、片面や両面等の印刷スタイルを設定する「印刷スタイル」（「片面印刷」を選択）及び複数の原稿を１枚にまとめて集約印刷を行なう「Ｎイン１」（「なし」を選択）といった印刷カテゴリ「エコロジー」に対応する印刷設定項目のみが示される。更に、図６に示すように、印刷設定ウィンドウ６０において印刷品質タブが選択された場合には、条件設定フィールド６３には、印刷設定項目として、印刷カテゴリ「エコロジー」に対応する「トナーセーブ」のみが示される。
【００２５】
ユーザは、各印刷設定項目に関する印刷条件を設定した後、印刷ボタン６９を押すことで、その設定内容に従って印刷処理を実行することができる。
【００２６】
図７〜図１０は、印刷カテゴリとして「製本」を選択した場合のプリンタドライバによる印刷条件の設定画面を示す図である。この場合、印刷条件の設定画面である印刷設定ウィンドウ７０には、印刷カテゴリ「製本」に関連する給紙タブ、排紙タブ、印刷品質タブ、及びフォントタブのみが表示される。
【００２７】
図７に示すように、印刷設定ウィンドウ７０において給紙タブが選択された場合には、条件設定フィールド７１には、図２に示した印刷設定ウィンドウ３８の場合とは異なり、「用紙サイズ」（「Ａ４」を選択）及び「印刷の向き」（「ポートレート」を選択）といった印刷カテゴリ「製本」に対応する印刷設定項目のみが示される。また、図８に示すように、印刷設定ウィンドウ７０において排紙タブが選択された場合には、条件設定フィールド７２には、「印刷スタイル」（「片面印刷」を選択）、「ブックレット（本綴じ）」（「なし」を選択）、「ソート」（「ソート実行」を選択）、「ステープル」（「なし」を選択）、及び「排出トレイ」（「自動トレイ選択」を選択）といった印刷カテゴリ「製本」に対応する印刷設定項目のみが示される。また、図９に示すように、印刷設定ウィンドウ７０において印刷品質タブが選択された場合には、条件設定フィールド７３には、「グラフィックモード」（「Ｖｅｃｔｏｒ」を選択）、「ハーフトーン」（「ディザ細」を選択）、及び「解像度」（「６００ｄｐｉ×６００ｄｐｉ」を選択）といった印刷カテゴリ「製本」に対応する印刷設定項目のみが示される。更に、図１０に示すように、印刷設定ウィンドウ７０においてフォントタブが選択された場合には、条件設定フィールド７４には、印刷設定項目として、印刷カテゴリ「製本」に対応する「ＴｒｕｅＴｙｐｅモード」（「ＢｉｔｍａｐＩｍａｇｅとしてダウンロード」及び「ＴｒｕｅＴｙｐｅをプリンタフォントでおきかえる」を選択）が示される。
【００２８】
ユーザは、各印刷設定項目に関する印刷条件を設定した後、印刷ボタン７９を押すことで、その設定内容に従って印刷処理を実行することができる。
【００２９】
図１１〜図１３は、印刷カテゴリとして「セキュリティ」を選択した場合のプリンタドライバによる印刷条件の設定画面を示す図である。この場合、印刷条件の設定画面である印刷設定ウィンドウ８０には、印刷カテゴリ「セキュリティ」に関連する給紙タブ、排紙タブ、及びセキュリティタブのみが表示される。
【００３０】
図１１に示すように、印刷設定ウィンドウ８０において給紙タブが選択された場合には、条件設定フィールド８１には、図２に示した印刷設定ウィンドウ３８の場合とは異なり、印刷設定項目として、印刷カテゴリ「セキュリティ」に対応する「用紙サイズ」（「Ａ４」を選択）のみが示される。また、図１２に示すように、印刷設定ウィンドウ８０において排紙タブが選択された場合には、条件設定フィールド８２には、印刷設定項目として、印刷カテゴリ「セキュリティ」に対応する「印刷スタイル」（「片面印刷」を選択）のみが示される。更に、図１３に示すように、印刷設定ウィンドウ８０においてセキュリティタブが選択された場合には、条件設定フィールド８３には、「メールボックス」、「セキュリティボックス」、及び「部門カウンター管理」といった印刷カテゴリ「セキュリティ」に対応する印刷設定項目のみが示される。
【００３１】
ユーザは、各印刷設定項目に関する印刷条件を設定した後、印刷ボタン８９を押すことで、その設定内容に従って印刷処理を実行することができる。
【００３２】
図１４及び図１５は、印刷カテゴリとして「シンプル」を選択した場合のプリンタドライバによる印刷条件の設定画面を示す図である。この場合、印刷条件の設定画面である印刷設定ウィンドウ９０には、印刷カテゴリ「シンプル」に関連する給紙タブ及び排紙タブのみが表示される。
【００３３】
図１４に示すように、印刷設定ウィンドウ９０において給紙タブが選択された場合には、条件設定フィールド９１には、図２に示した印刷設定ウィンドウ３８の場合とは異なり、「用紙サイズ」（「Ａ４」を選択）、「部数」（「１部」を選択）及び「印刷の向き」（「ポートレート」を選択）といった印刷カテゴリ「製本」に対応する印刷設定項目のみが示される。また、図１５に示すように、印刷設定ウィンドウ９０において排紙タブが選択された場合には、条件設定フィールド９２には、印刷設定項目として、印刷カテゴリ「シンプル」に対応する「印刷スタイル」（「片面印刷」を選択）のみが示される。
【００３４】
ユーザは、各印刷設定項目に関する印刷条件を設定した後、印刷ボタン９９を押すことで、その設定内容に従って印刷処理を実行することができる。
【００３５】
図１６は、プリンタドライバによる印刷条件の設定動作を示すフロー図である。印刷処理を実行する場合には、まず、標準的な印刷条件の設定画面であるプリンタドライバの印刷設定ウィンドウ３０をディスプレイ１５に表示させる（ＳＴ１０１）。次に、ユーザは、キーボード１６またはマウス等を使用してカテゴリ表示ボタン３９を押し（ＳＴ１０２；Ｙｅｓ）、カテゴリ選択ウィンドウ５０をディスプレイ１５に表示させる（ＳＴ１０３）。ユーザは、カテゴリ選択ウィンドウ５０に表示された複数の選択肢から所望の印刷カテゴリを選択する。そこで、ユーザに選択された印刷カテゴリの情報を取得し、印刷カテゴリとして「エコロジー」が選択されたか否かが判断され（ＳＴ１０４）、ユーザがカテゴリ選択ウィンドウ５０において「エコロジー」を選択している場合には、「エコロジー」に関連する印刷設定項目が抜粋され（ＳＴ１０５）、その抜粋された印刷設定項目を設定可能な印刷設定ウィンドウ６０がディスプレイ１５に表示される（ＳＴ１０６）。
【００３６】
ＳＴ１０４において、「エコロジー」が選択されていない場合には、印刷カテゴリとして「製本」が選択されたか否かが判断され（ＳＴ１０７）、ユーザが「製本」を選択している場合には、ＳＴ１０５及びＳＴ１０６と同様に、関連する印刷設定項目が抜粋され（ＳＴ１０８）、印刷設定ウィンドウ７０がディスプレイ１５に表示される（ＳＴ１０９）。
【００３７】
また、ＳＴ１０７において、「製本」が選択されていない場合には、印刷カテゴリとして「セキュリティ」が選択されたか否かが判断され（ＳＴ１１０）、ユーザが「セキュリティ」を選択している場合には、ＳＴ１０５及びＳＴ１０６と同様に、関連する印刷設定項目が抜粋され（ＳＴ１１１）、印刷設定ウィンドウ８０がディスプレイ１５に表示される（ＳＴ１１２）。
【００３８】
更に、ＳＴ１１０において、「セキュリティ」が選択されていない場合には、印刷カテゴリとして「シンプル」が選択され（ＳＴ１１３）、ＳＴ１０５及びＳＴ１０６と同様に、関連する印刷設定項目が抜粋され（ＳＴ１１４）、印刷設定ウィンドウ９０がディスプレイ１５に表示される（ＳＴ１１５）。
【００３９】
ユーザが意図する印刷カテゴリに対応する印刷設定項目を設定可能な印刷設定ウィンドウが表示されると、ユーザの入力操作によって印刷条件が設定され、その設定された印刷設定項目の情報を取得する（ＳＴ１１６）。場合によっては、カテゴリ選択ウィンドウを表示させず（ＳＴ１０２；Ｎｏ）、通常の印刷設定ウィンドウ３０において印刷条件を設定することもできる。印刷条件の設定が完了した後、ユーザが「印刷」ボタンを押すと（ＳＴ１１７；Ｙｅｓ）、印刷が実行され（ＳＴ１１８）、印刷処理が完了する。一方、ユーザ「キャンセル」ボタンを押した場合には（ＳＴ１１７；Ｎｏ）、設定した印刷条件が無効となり、印刷は実行されずに印刷処理が中止される。
【００４０】
本発明を実施例に基づいて詳細に説明したが、これらの実施例はあくまでも例示であって本発明は実施例によって限定されるものではない。当業者であれば特許請求の範囲によって定められる本発明の技術的思想を逸脱することなく様々な変形若しくは変更が可能であることは言うまでもない。
【００４１】
本発明による印刷制御方法及び印刷制御プログラムは、図１に示した構成を有する印刷システムに限らず、同様の印刷処理を実行可能な種々の印刷システムに適用可能である。例えば、同様の印刷システムを単体の装置で実現することも可能である。また、ユーザが選択可能な印刷カテゴリ及びその印刷カテゴリに対応する印刷設定項目については、上記実施の態様で示したものに必ずしも限定されるものではなく、所望により種々の変更が可能である。更に、ユーザが印刷カテゴリを選択する場合には、上記実施の態様で示したような一の印刷カテゴリの選択に限らず、複数の印刷カテゴリを重複して選択する態様も可能である。
【産業上の利用可能性】
【００４２】
本発明の印刷制御方法および印刷制御プログラムによれば、ＰＣ等のデータ処理装置において文書や図面等を印刷する際に、ユーザが目的とする印刷処理に対応する印刷条件を容易に設定することが可能となり、ＰＣ等のアプリケーションプログラムで作成された文書などの印刷要求に対して最適な印刷処理を可能にする印刷制御方法および印刷制御プログラムとして有用である。
【図面の簡単な説明】
【００４３】
【図１】本発明の印刷制御方法を適用した印刷システムの概略構成を示すブロック図
【図２】標準的な印刷条件の設定画面を示す図
【図３】カテゴリ選択ウィンドウを示す図
【図４】印刷カテゴリ「エコロジー」を選択した場合の印刷条件の設定画面を示す図
【図５】印刷カテゴリ「エコロジー」を選択した場合の印刷条件の設定画面を示す図
【図６】印刷カテゴリ「エコロジー」を選択した場合の印刷条件の設定画面を示す図
【図７】印刷カテゴリ「製本」を選択した場合の印刷条件の設定画面を示す図
【図８】印刷カテゴリ「製本」を選択した場合の印刷条件の設定画面を示す図
【図９】印刷カテゴリ「製本」を選択した場合の印刷条件の設定画面を示す図
【図１０】印刷カテゴリ「製本」を選択した場合の印刷条件の設定画面を示す図
【図１１】印刷カテゴリ「セキュリティ」を選択した場合の印刷条件の設定画面を示す図
【図１２】印刷カテゴリ「セキュリティ」を選択した場合の印刷条件の設定画面を示す図
【図１３】印刷カテゴリ「セキュリティ」を選択した場合の印刷条件の設定画面を示す図
【図１４】印刷カテゴリ「シンプル」を選択した場合の印刷条件の設定画面を示す図
【図１５】印刷カテゴリ「シンプル」を選択した場合の印刷条件の設定画面を示す図
【図１６】印刷条件の設定動作を示すフロー図
【符号の説明】
【００４４】
１  ＰＣ
２  ＬＡＮ
３  プリンタ
３０  印刷設定ウィンドウ（標準的な印刷条件の設定画面）
５０  カテゴリ選択ウィンドウ（印刷カテゴリの選択画面）
【図１】
2005310029.tif 000003
【図２】
2005310029.tif 000004
【図３】
2005310029.tif 000005
【図４】
2005310029.tif 000006
【図５】
2005310029.tif 000007
【図６】
2005310029.tif 000008
【図７】
2005310029.tif 000009
【図８】
2005310029.tif 000010
【図９】
2005310029.tif 000011
【図１０】
2005310029.tif 000012
【図１１】
2005310029.tif 000013
【図１２】
2005310029.tif 000014
【図１３】
2005310029.tif 000015
【図１４】
2005310029.tif 000016
【図１５】
2005310029.tif 000017
【図１６】
2005310029.tif 000018